(57)【要約】編地の伸縮性に依らずに着用者の足にフィットする立体的な形状を備えるフットウェアを提供する。インステップカバー部（３）と、ソールカバー部（２）と、を備える無縫製のフットウェア（１）である。ソールカバー部（２）は、ヒール部（２０）とソール本体部（２１）とに分けられている。フットウェア（１）の踵側端部には編出し部（１Ｓ）または編終わり部が形成されており、その編出し部（１Ｓ）または編終わり部は、フットウェア（１）の高さ方向に延び、かつヒール部（２０）に繋がっている。ヒール部（２０）は、編目列をウエール方向に複数段積み重ね、かつ編目列の段数を積み重ねる際に徐々に編目列の編幅方向の編目数を異ならせる編成によって形成されている。その編目数の変化によってヒール部（２０）は、フットウェア（１）の踵側に向かって徐々に幅が狭くなる舌片状に形成されている。
2014050289.tif 000002
【特許請求の範囲】
【請求項１】
着用者の甲側の部分を覆うインステップカバー部と、着用者の足裏を覆うソールカバー部と、を備えるフットウェアにおいて、
前記フットウェアの踵側端部の位置から編出されて前記踵側端部以外の位置で編終わるか、または前記踵側端部以外の位置から編出されて前記踵側端部の位置で編終わることで、前記インステップカバー部と前記ソールカバー部とが編組織によって無縫製で一体に編成されており、
前記ソールカバー部のうち、着用者の踵の後端部から所定範囲の領域に対応する部分をヒール部、それ以外の部分をソール本体部としたとき、
前記踵側端部に形成される編出し部または編終わり部が、前記フットウェアの高さ方向に延び、かつ前記ヒール部に繋がり、
前記ヒール部は、編目列をウエール方向に複数段積み重ね、かつ編目列の段数を積み重ねる際に徐々に編目列の編幅方向の編目数を異ならせる編成によって形成され、その編目数の変化によって前記ヒール部は、フットウェアの踵側に向かって徐々に幅が狭くなる舌片状に形成されていることを特徴とするフットウェア。
【請求項２】
前記フットウェアの踵側端部に形成される編出し部または編終わり部は、前記インステップカバー部の上端から下端を経て、前記ソールカバー部に延び、前記ヒール部と前記ソール本体部との境界に至り、
前記ヒール部は、前記ソールカバー部における前記編出し部または編終わり部を挟んで周状に並ぶ複数の扇状ピースによって形成されていることを特徴とする請求項１に記載のフットウェア。
【請求項３】
前記フットウェアの踵側端部に形成される編出し部または編終わり部は、前記インステップカバー部の上端から下端に至り、
前記ヒール部全体が、前記ヒール部を構成する編目列のウエール方向の段数が増すごとに漸次編幅を広くする引き返し編成、もしくは漸次編幅を狭くする引き返し編成によって形成されていることを特徴とする請求項１に記載のフットウェア。
【請求項４】
前記フットウェアの踵側端部に形成される編出し部または編終わり部は、前記インステップカバー部の上端から下端を経て、前記ソールカバー部に延び、前記ヒール部と前記ソール本体部との境界に至り、
前記ヒール部は、前記ソールカバー部における前記編出し部または編終わり部を挟んで周状に並ぶ複数の扇状ピースと、隣接する扇状ピースの間に配置される介在ピースと、によって形成されていることを特徴とする請求項１に記載のフットウェア。
【請求項５】
前記フットウェアは、熱可塑性糸を用いて編成されたシューズアッパーであることを特徴とする請求項１〜４のいずれか一項に記載のフットウェア。
【請求項６】
着用者の甲側の部分を覆うインステップカバー部と、着用者の足裏を覆うソールカバー部と、を備えるフットウェアの編成方法において、
前記ソールカバー部のうち、着用者の踵の後端部から所定範囲の領域をヒール部、それ以外の部分をソール本体部としたとき、
少なくとも前後一対の針床を備え、各針床に形成される編目の目移しが可能な横編機を用いて、下記［１］または［２］の手順に従って前記フットウェアを編成し、
前記ヒール部の編成にあたって、編目列をウエール方向に複数段積み重ねる際に各段の編目列の編幅方向の編目数を異ならせる編成を行なうことを特徴とするフットウェアの編成方法。
［１］
編出し部を編成し、
その編出し部に基づいて前記インステップカバー部の左側面および右側面の踵側部分と、前記ソールカバー部のヒール部と、を編成し、
次いで、前記ソールカバー部のソール本体部と、前記インステップカバー部の爪先側部分と、を編成していき、前記フットウェアを完成させる。
［２］
編出し部を編成し、
その編出し部に基づいて前記インステップカバー部の爪先側部分と、前記ソール本体部と、を編成し、
次いで、前記フットウェアの踵側に向かって前記ソールカバー部のヒール部と、前記インステップカバー部の踵側部分と、を編成していき、前記フットウェアの踵側端部で前記フットウェアの左側面と右側面とを閉じ合わせて前記フットウェアを完成させる。
【発明の詳細な説明】
【技術分野】
【０００１】
本発明は、フットウェア、およびフットウェアの編成方法に関する。
【背景技術】
【０００２】
横編機を用いてシューズやソックスなどのフットウェアを編成することが行なわれている。例えば、ソックスにおいては従来から、着用者の足裏を覆うソールカバー部と、着用者の甲側の部分を覆うインステップカバー部と、そのインステップカバー部に連続して着用者の踝近傍から上の部分を覆う胴部と、を無縫製で一体に編成することが行なわれている。そのソックスの編成において、着用者の足の形状、特に踵の形状に沿ったソックスを得るために、ソックスの踵に対応する部分で編幅を広くすることが行なわれている（例えば、特許文献１を参照）。
【先行技術文献】
【特許文献】
【０００３】
【特許文献１】特開２００６-２９１４３９号公報
【発明の概要】
【発明が解決しようとする課題】
【０００４】
しかし、従来の編組織からなるフットウェアは、足の形状に沿った立体的なものとは言い難かった。【０００５】
従来のフットウェアは、踵に対応する部分に膨らみを持たせているとは言え、全体的には平面的なものに過ぎない。そのため、そのようなフットウェアを着用した場合、編地の伸縮性によって足にはフィットするものの、フットウェアにおける踵に対応する部分で局所的に編目が伸ばされたり、引き攣れたりする場合がある。そうなると、フットウェアの着用時の見栄えが損なわれたり、着用者にある種のストレスを与えたりする可能性がある。また、伸縮性に乏しい熱可塑性糸などで編成したフットウェアを着用した場合、フットウェアの踵に対応する部分で編地がだぶつく恐れもある。【０００６】
本発明は上記事情に鑑みてなされたものであり、本発明の目的は、編地の伸縮性に依らずに着用者の足にフィットする立体的な形状を備えるフットウェア、およびその編成方法を提供することにある。
【課題を解決するための手段】
【０００７】
本発明のフットウェアは、着用者の甲側の部分を覆うインステップカバー部と、着用者の足裏を覆うソールカバー部と、を備えるフットウェアである。このフットウェアでは、フットウェアの踵側端部の位置から編出されて踵側端部以外の位置で編終わるか、または踵側端部以外の位置から編出されて踵側端部の位置で編終わることで、インステップカバー部とソールカバー部とが編組織によって無縫製で一体に編成されている。そして、このフットウェアでは、フットウェアに備わるソールカバー部のうち、着用者の踵の後端部から所定範囲の領域に対応する部分をヒール部、それ以外の部分をソール本体部としたとき、次の［１］，［２］の構成を備えることを特徴とする。
［１］踵側端部に形成される編出し部または編終わり部が、フットウェアの高さ方向に延び、かつヒール部に繋がる。
［２］ヒール部は、編目列をウエール方向に複数段積み重ね、かつ編目列の段数を積み重ねる際に徐々に編目列の編幅方向の編目数を異ならせる編成によって形成され、その編目数の変化によってヒール部は、フットウェアの踵側に向かって徐々に幅が狭くなる舌片状に形成されている。
なお、踵の後端部から所定範囲とは、後端部から土踏まずに至るまでの長さの約半分程度の範囲、具体的には後端部から２〜６ｃｍ、好ましくは後端部から３〜５ｃｍまでの範囲のことである。【０００８】
本発明のフットウェアとして、フットウェアの踵側端部に形成される編出し部または編終わり部は、インステップカバー部の上端から下端を経て、ソールカバー部に延び、ヒール部とソール本体部との境界に至り、そしてヒール部は、ソールカバー部における編出し部または編終わり部を挟んで周状に並ぶ複数の扇状ピースによって形成される形態（以下、第１形態）を挙げることができる。扇状ピースが周状に並ぶことで、ヒール部は舌片状に形成される。【０００９】
本発明のフットウェアとして、フットウェアの踵側端部に形成される編出し部または編終わり部は、インステップカバー部の上端から下端に至る形態（つまり、編出し部または編終わり部がソールカバー部に形成されていない形態）を挙げることができる。その場合、ヒール部全体が、ヒール部を構成する編目列のウエール方向の段数が増すごとに漸次編幅を広くする引き返し編成、もしくは漸次編幅を狭くする引き返し編成によって形成されていることで、ヒール部が舌片状に形成されている形態（以下、第２形態）を挙げることができる。【００１０】
本発明のフットウェアとして、フットウェアの踵側端部に形成される編出し部または編終わり部は、インステップカバー部の上端から下端を経て、ソールカバー部に延び、ヒール部とソール本体部との境界に至り、そしてヒール部は、ソールカバー部における編出し部または編終わり部を挟んで周状に並ぶ複数の扇状ピースと、隣接する扇状ピースの間に配置される介在ピースと、によって形成されている形態（以下、第３形態）を挙げることができる。扇状ピースが周状に並ぶことで、ヒール部が舌片状に形成される。【００１１】
本発明のフットウェアとして、フットウェアが熱可塑性糸を用いて編成されたシューズアッパーである形態を挙げることができる。【００１２】
本発明のフットウェアの編成方法は、着用者の甲側の部分を覆うインステップカバー部と、着用者の足裏を覆うソールカバー部と、を備えるフットウェアの編成方法に係る。この本発明のフットウェアの編成方法では、ソールカバー部のうち、着用者の踵の後端部から所定範囲の領域をヒール部、それ以外の部分をソール本体部としたとき、少なくとも前後一対の針床を備え、各針床に形成される編目の目移しが可能な横編機を用いて、下記［１］または［２］の手順に従ってフットウェアを編成する。そして、ヒール部の編成にあたって、編目列をウエール方向に複数段積み重ねる際に各段の編目列の編幅方向の編目数を異ならせる編成を行なうことを特徴とする。
［１］編出し部を編成し、その編出し部に基づいてインステップカバー部の左側面および右側面の踵側部分と、ソールカバー部のヒール部と、を編成する。次いで、ソールカバー部のソール本体部と、インステップカバー部の爪先側部分と、を編成していき、フットウェアを完成させる。
［２］編出し部を編成し、その編出し部に基づいて前記インステップカバー部の爪先側部分と、ソール本体部と、を編成する。次いで、フットウェアの踵側に向かってソールカバー部のヒール部と、インステップカバー部の踵側部分と、を編成していき、フットウェアの踵側端部で前記フットウェアの左側面と右側面とを閉じ合わせてフットウェアを完成させる。
【発明の効果】
【００１３】
本発明のフットウェアは、本発明のフットウェアの編成方法により作製され、従来のフットウェアよりも着用者の足の形状、特に踵の形状に沿った立体的な形状を備えるフットウェアである。そのため、本発明のフットウェアを着用した際、編地の伸縮性に依らずに着用者の足にフィットし、フットウェアの踵部分で編目が局所的に伸ばされたり引き攣れたりするなどの不具合が生じ難い。本発明のフットウェアが立体的な形状を備えるのは、フットウェアのソールカバー部にヒール部が形成され、そのヒール部の形状が着用者の足裏の輪郭形状に沿って湾曲した舌片状となっているからである。【００１４】
本発明のフットウェアにおいて、ヒール部は上述した第１形態、第２形態、または第３形態のいずれであっても良いが、特に第１形態が好ましい。第１形態は、ヒール部とインステップカバー部との境界部分が滑らかで、ヒール部の編成も容易であるからである。【００１５】
一方、熱可塑性糸を用いて編成されたシューズアッパー（フットウェア）は、形崩れし難く、履き心地に優れる。
【図面の簡単な説明】
【００１６】
【図１】（Ａ）は実施形態１に示すフットウェアの概略上面斜視図、（Ｂ）はそのフットウェアの概略下面斜視図である。
【図２】（Ａ）は実施形態１のフットウェアの編成工程を模式的に示す編成工程イメージ図、（Ｂ）は（Ａ）の編成工程イメージに従って編成されたフットウェアの部分底面拡大図である。
【図３】（Ａ）は実施形態２に示すフットウェアの概略上面斜視図、（Ｂ）はそのフットウェアの概略下面斜視図である。
【図４】（Ａ）は実施形態２のフットウェアの編成工程を模式的に示す編成工程イメージ図、（Ｂ）は（Ａ）の編成工程イメージに従って編成されたフットウェアの底面図、（Ｃ）は（Ａ）の編成工程イメージに従って編成されたフットウェアの変形例の部分底面図である。
【図５】（Ａ）は実施形態３のフットウェアのヒール部の編成工程を模式的に示す編成工程イメージ図、（Ｂ）はヒール部の編成方法の説明図、（Ｃ）は（Ａ）の編成工程イメージに従って編成されたヒール部の底面拡大図である。
【図６】実施形態５のフットウェアの編成工程を模式的に示す編成イメージ図である。
【図７】実施形態７に示すソックスの概略斜視図である。
【発明を実施するための形態】
【００１７】
以下、本発明のフットウェアとその編成方法の実施形態を図に基づいて説明する。フットウェアの製造には、少なくとも前後一対の針床を備え、前後の針床間で編目の目移しが可能な２枚ベッド横編機を用いた。もちろん、使用する横編機は、２枚ベッド横編機に限定されるわけではなく、例えば４枚ベッド横編機であっても良い。
【００１８】
＜実施形態１＞
≪シューズアッパー≫
図１に示す本実施形態のシューズアッパー（フットウェア）１は、特殊な編成手順に従ってインステップカバー部３とソールカバー部２とを無縫製で一体に編成することによって得られた編組織からなるものである。このシューズアッパー１が特殊な編成手順によって編成されたことは、後述するように、ソールカバー部２の踵側の所定範囲の領域に、略半円形のヒール部２０が形成されていることから分かる。なお、シューズアッパー１を構成する編組織は特に限定されず、例えば天竺組織やメッシュ組織、リブ組織、あるいはこれらの混合組織などであっても構わない。
【００１９】
本実施形態のシューズアッパー１のうち、後述するインサート部４を除く部分は、踵側端部から編成を開始し、爪先側端部で編成を終了することで作製される。編成の開始部である編出し部１Ｓは、図１（Ｂ）に示すように、シューズアッパー１の踵側端部でシューズアッパー１の高さ方向に延びている。より具体的には、編出し部１Ｓは、インステップカバー部３の上端から下端を経て、ソールカバー部２に延び、ヒール部２０とソール本体部２１との境界に至っている。一方、編成の終了部である編終わり部１Ｅは、図１（Ａ）に示すように、シューズアッパー１におけるインステップカバー部３の爪先側端部でシューズアッパー１の高さ方向に延びている。上述した位置・方向に編出し部１Ｓと編終わり部１Ｅを設定することで、シューズアッパー１の編成が踵側から爪先側に進むことになり、ヒール部２０と後述するインサート部４を除く部分の編目は、シューズアッパー１の長さ方向（前向き）に向いて揃う（図１（Ａ）の丸囲み拡大図を参照）。編目の向きが揃っていることでシューズアッパー１の全体的な見栄えが向上する。
【００２０】
図１（Ｂ）に示すシューズアッパー１のヒール部２０は、編目列をウエール方向に複数段積み重ねる際に各段の編目列の編幅方向の編目数を異ならせる編成によって形成されている。このように各段の編目列の編幅方向の編目数を異ならせることで、ヒール部２０はシューズアッパー１の踵側に向かって徐々に幅が狭くなる舌片状（略半円形状）となり、その結果、シューズアッパー１は着用者の踵の丸みに沿った立体的な形状となる。本実施形態では、ヒール部２０は、ヒール部２０における編出し部１Ｓを挟んで周状に並ぶ複数の扇状ピースから構成されている。このヒール部２０の編成手順については後述する。
【００２１】
その他、本実施形態におけるシューズアッパー１のインステップカバー部３には、履き口４０から爪先に向かって延びるスリット５０が形成されており、履き口４０から足を挿入し易くなっている。また、インステップカバー部３におけるスリット５０を挟む位置には靴紐を通す鳩目（ｅｙｅｌｅｔ）を取り付けるための鳩目孔（ｅｙｅｌｅｔ  ｈｏｌｅ）６０が形成されている。
【００２２】
さらに、本実施形態のシューズアッパー１の履き口４０近傍の縁部、即ちインステップカバー部３の上端縁部に、その縁部を補強するインサート部４が設けられている。このインサート部４は必須のものではないが、インサート部４を設けることで、履き口４０近傍におけるインステップカバー部３の縁部の輪郭形状を安定させることができ、その結果、履き口４０から足を挿入し易いシューズアッパー１とすることができる。本実施形態におけるインサート部４は、インステップカバー部３に無縫製で接続される編組織でできており、インサート部４の編目の向きは、後述する編成工程を反映してシューズアッパー１の高さ方向（下向き）に向いている。なお、インサート部４は、インサート部４のないシューズアッパー１に後から取り付けても構わない。例えば、インサート部４のないシューズアッパー１の履き口４０の縁部に樹脂などからなる補強材を取り付けたり、シューズアッパー１とは別に編成した編組織を接合することでインサート部４を形成しても良い。
【００２３】
≪編成手順≫
上記シューズアッパー１は、熱可塑性樹脂などを含む編糸を用いて、シューズアッパー１の右側部分を横編機の一方の針床で、左側部分を他方の針床で編成することで作製することができる。図２（Ａ）は、シューズアッパー１の右側部分の編成手順を模式的に示す編成イメージ図、図２（Ｂ）は編成イメージ図に従って編成されたソールカバー部２の部分底面拡大図である。図２（Ａ）におけるシューズアッパー１の左側部分は、紙面奥側に配置されていると考えて良く、紙面右側でシューズアッパー１の右側部分と左側部分は繋がっている。シューズアッパー１の左側部分は、右側部分と同様の編成により編成されるので、その説明は省略する。なお、言うまでもないが、足の形状は左右非対称であるため、足の形状に合わせてシューズアッパー１の右側部分と左側部分の編幅などを変えることが好ましい。
【００２４】
図２（Ａ）では、下側から上側に向かって編成が進む。本実施形態におけるシューズアッパー１は、インサート部領域α、踵領域β、本体後部領域γ、本体前部領域δ、および爪先領域εの五つの領域に分けて編成される。ここで、図２（Ａ）の短点線はインステップカバー部３とソールカバー部２との境界を、長点線（図１（Ａ）にも示す）は減し目を行なった部分を、一点鎖線は上記領域α〜εの境界を表しており、図２では編成の要所となる位置に小文字アルファベットａ〜ｒを付している。
【００２５】
［インサート部領域αの編成］
図２に示す編成では、まず右側を折り返し位置とするＣ字状編成を行なって、インサート部４を編成する。つまり、紙面左側の位置では前後に係止されるインサート部４は繋がっておらず、この繋がっていない部分からスリット５０（図１（Ａ）参照）が形成される。この時点で、インサート部４のａ−ｂ−ｃ−ｄの編目が針床に係止された状態になっている。
【００２６】
［踵領域βの編成］
次いで、インサート部４の編目が係止されていない編針に編出し部１Ｓを形成する（ｄ−ｅ−ｆ参照）。この編出し部１Ｓは、図１（Ｂ）に示すように、インステップカバー部３の上端から下端を経て、さらにヒールカバー部２の位置まで延びている。図１（Ｂ）を参照して既に述べたように、編出し部１Ｓのヒールカバー部２側の端部は、ヒールカバー部２におけるヒール部２０とソール本体部２１との境界にまで延びている。言い換えると、編出し部１Ｓの端部の位置が、ヒール部２０の大きさを決定している。
【００２７】
編出し部１Ｓが形成されれば、この編出し部１Ｓのウエール方向に続いて複数段の編目列を編成する。その際、紙面右側の位置で徐々に編幅方向の編目数を減らす引き返し編成を行なうことで、インステップカバー部３の一部と扇状ピース２０１を編成する。さらに、本実施形態では、引き返し編成によって編目列を１〜３段分編成するごとに編目列はインサート部４の側（左側）に目移しし、編目列におけるインサート部４側（左側）の編目とインサート部４におけるインステップカバー部３側（右側）の編目とを接合する。なお、図中の符号ｆの位置で、図示されるシューズアッパー１の右側部分と、図示されないシューズアッパー１の左側部分と、は接合されている。
【００２８】
さらに、紙面右側の位置で徐々に編幅方向の編目数を増やす引き返し編成を行なった後、徐々に編幅方向の編目数を減らす引き返し編成を行なうことを２回繰り返し、インステップカバー部３の一部と扇状ピース２０２，２０３を編成する。その際、扇状ピース２０１のｇ−ｆのウエール方向に連続して扇状ピース２０２のｇ−ｈを編成し、扇状ピース２０１と扇状ピース２０２とを接合し、扇状ピース２０２のｉ−ｈのウエール方向に連続して扇状ピース２０３のｉ−ｊを編成し、扇状ピース２０２と扇状ピース２０３とを接合する。また、引き返し編成によって編成した編目列をインサート部４の側（左側）に目移しし、インステップカバー部３のｄ−ｌラインの一部を、インサート部４に接合する。
【００２９】
最後に、紙面右側の位置で徐々に編幅方向の編目数を増やす引き返し編成を行なうことで、インステップカバー部３の一部と扇状ピース２０４を編成する。その際、扇状ピース２０３のｋ−ｊのウエール方向に連続して扇状ピース２０４のｋ−ｍを編成し、扇状ピース２０３と扇状ピース２０４とを接合する。
【００３０】
扇状ピース２０４の編成が終了した時点で、符号ｆ，ｈ，ｊ，ｍは一つに繋がり、この繋がった部分を中心にして、扇状ピース２０１〜２０４が周状に並ぶ。ここで、図２（Ａ）で図示されないシューズアッパー１の左側部分においても同様の編成が行なわれているため、扇状ピース２０４の編成が終了した時点で、図２（Ｂ）に示すように、編出し部１Ｓを挟んで周状に並ぶ扇状ピース２０１〜２０４，２０５〜２０８からなるヒール部２０が形成される。扇状ピース２０５〜２０８は、図２（Ａ）において紙面奥側で編成されたシューズアッパー１の左側部分の編地であり、扇状ピース２０１〜２０４と同様の手順に従って編成された編地である。これら扇状ピース２０１〜２０８は、白丸で示す部分（つまり、図２（Ａ）の符号ｆ，ｈ，ｊ，ｍが一つに繋がった部分）を中心にして、扇の根元を爪先側（図２（Ｂ）では左側）に向けて周状に並んでおり、扇状ピース２０１〜２０８の外側の略円弧状の部分が、ヒール部２０の湾曲形状を形作っている。
【００３１】
踵領域βの編成が終了した時点で、針床にはａ−ｂ−ｃ（ｌ）−ｍの編目が係止された状態になっている。
【００３２】
［本体後部領域γの編成］
次いで、ｌ−ｍの編目のウエール方向に続いてインステップカバー部３とソールカバー部２となる編目列をＣ字状編成により編成することと、編成した編目列をインサート部４の側（左側）に目移しして、インサート部４のｃ−ｂの編目に重ね合わせることと、を繰り返す。この編成により、インステップカバー部３のｌ−ｎがインサート部４のｃ−ｂに接合され、インステップカバー部３の編目の向きは、シューズアッパー１の長さ方向（前向き）に向く。
【００３３】
ここで、本実施形態では、インステップカバー部３の本体後部領域γを構成する編目列の段数を増す際、編目列の編幅を減らした後、編目列の編幅を増やしている。そうすることで、図１に示すように、インサート部４における着用者の踝に対応する部分が、踝を避けるようにソールカバー部側に湾曲する（図２のｌ−ｎも合わせて参照）。また、その湾曲形状は、履き口側の位置（図２のｌ−ｎの位置）でインステップカバー部３の編幅方向の目数を増減することで形成されている。そのため、インステップカバー部３を構成する編目が爪先部分に向かって真っ直ぐに揃う。仮に、インステップカバー部３の編幅内で編目を増減すると、編目の方向が不揃いになってシューズアッパー１の見栄えを損なう恐れがある。
【００３４】
なお、本体後部領域γにおける編目の増減は、シューズアッパー１の右側部分と左側部分とで異ならせることが好ましい（後述する本体前部領域δ、爪先領域εも同様）。例えば、シューズアッパー１における親指側の部分の高さを、小指側の部分よりも高くするなど、足の立体的な形状を考慮して上記右側部分と左側部分の形を変える。その際、インステップカバー部３の甲側部分およびソールカバー部２の位置で編目の増減を行なうことが好ましい。シューズアッパー１の側面における編目の向きを揃えることができ、シューズアッパー１の見栄えを良好にすることができるからである。
【００３５】
［本体前部領域δ］
次に、ａ−ｂ（ｎ）−ｏの編目のウエール方向に続いてインステップカバー部３の本体前部領域δとなる編目列を複数段、編成する。その際、爪先領域εに向かうに従い、編目列の編幅を長点線の位置で減らすことで、本体前部領域δを足の形状に沿った先細りの形状にすることができる。
【００３６】
また、本実施形態では、本体前部領域δの編成の際、スリット５０（図１参照）の近傍の位置に鳩目孔６０を形成する。鳩目孔６０は、公知のメッシュ編成やミス編成などにより形成することができる。
【００３７】
［爪先領域εの編成］
爪先領域εの編成にあたっては、まずスリット５０（図１参照）の切り込み端５１となる部分をＣ字状編成で編出す。次いで、本体前部領域δのウエール方向終端の編目列と、切り込み端５１となる部分の編目列のウエール方向に連続して筒状編成を行ない、爪先領域εを編成する。その際、長点線（図１の長点線も合わせて参照）で示すインステップカバー部３の甲側の位置とソールカバー部２側の位置で減し目を行なって編幅を小さくしていき、最後に先端のｑ−ｒの位置でシューズアッパー１の左側部分と右側部分とを閉じ合わせる。そうすることで、図１に示すように、シューズアッパー１の先端を、足の形状に沿った先細りの形状にすることができる。シューズアッパー１の左側部分と右側部分を閉じ合わせることで形成される編終わり部１Ｅは、図１（Ａ）に示すようにシューズアッパー１の高さ方向に延びる。
【００３８】
図１に示すシューズアッパー１の編成が終了したら、インステップカバー部３のスリット５０の内側に図示しないタン（ｔｏｎｇｕｅ）を取り付けると共に、ソールカバー部２に図示しないアウターソールを接合する。また、鳩目孔６０に図示しない鳩目を取り付ける。そして、シューズアッパー１全体を足型にはめて熱処理し、シューズアッパー１を立体的に成形する。最後に、鳩目に靴紐を通してシューズを完成させる。
【００３９】
なお、タンは、横編機によってシューズアッパー１に一体に形成することもできる。その場合、切り込み端５１の近傍を編成する際に編出し部を編成しておき、その編出し部に続いてタンを編成すれば良い。また、室内で使用するシューズを作製するのであれば、シューズアッパー１にアウターソールを取り付けなくても構わない。その場合、ソールカバー部を厚めの編組織とすれば良い。
【００４０】
以上説明したように、本実施形態のシューズアッパー１は、編地の伸縮性に依らずに着用者の足の形状に沿った立体的な形状を備える。それは、図１（Ｂ）に示すように、ソールカバー部２の踵側の部分に、着用者の足裏の輪郭形状に沿った円弧状のラインを有するヒール部２０が形成されているからである。また、編成が終了した時点で既に足の形状に沿った立体的な本実施形態のシューズアッパー１であれば、シューズアッパー１を熱処理して成形する際、シューズアッパー１の踵部分がだぶついたり、当該踵部分の近傍で編目の並びが乱れたりすることが少なく、シューズアッパー１の見栄えが良い。
【００４１】
さらに、本実施形態のシューズアッパー１は、インステップカバー部３における編目の向きが爪先側を向いて揃っており（図１（Ａ）丸囲み参照）、見栄えが良い。これは、シューズアッパー１の踵側でシューズアッパー１の高さ方向に延びる編出し部１Ｓを形成し、その編出し部１Ｓからシューズアッパー１の右側部分と左側部分を編成していき、シューズアッパー１の爪先側でシューズアッパー１の右側部分と左側部分を閉じているからである。しかも、このシューズアッパー１では、ヒール部２０の近傍におけるだぶつき、編目の乱れが少なく、シューズアッパー１の踵部分の見栄えも良い。
【００４２】
また、本実施形態のシューズアッパー１は、インステップカバー部３とソールカバー部２とを無縫製で一体に編成することで得られるため、生産性に優れる。また、上記シューズアッパー１にアウターソールを接続する際、編地でできたシューズアッパー１は既に立体的な形状に保持されているため、シューズアッパー１とアウターソールカバー部との位置合わせが容易であるし、シューズアッパー１が形崩れし難いため、取り付け作業自体も容易である。
【００４３】
＜実施形態２＞
実施形態２では、実施形態１とは異なる編成方法を図３，４に基づいて説明する。両実施形態の相違点は、ヒール部の構成とその編成方法のみであるので、本実施形態ではその相違点を中心に説明する。
【００４４】
図３（Ａ）に示すように、実施形態２のシューズアッパー１’は、履き口４０側から見た場合、実施形態１のシューズアッパー１と外観上の違いはない。しかし、図３（Ｂ）に示すように、シューズアッパー１’をソールカバー部２’側から見たとき、編出し部１Ｓが、インステップカバー部３の上端から下端にわたって形成されているが、ソールカバー部２’には及んでいない。また、実施形態２では、ソールカバー部２’の踵側に形成されるヒール部２０’全体が、漸次編幅を広くする引き返し編成、もしくは漸次編幅を狭くする引き返し編成によって形成されている。
【００４５】
上記ヒール部２０’を備えるシューズアッパー１’は、図４（Ａ）の編成工程イメージ図に従って編成することができる。図４（Ａ）の見方は図２（Ａ）と同じである。図４（Ａ）の編成の要所にはアルファベットａ〜ｐを付している。
【００４６】
［領域α〜βの編成］
まず、実施形態１と同様に、インサート部４を編成する。次いで、インサート部４の編目が係止されていない編針に編出し部１Ｓを形成する（ラインｄ−ｅ参照）。編出し部１Ｓの形成幅は、図３に示すシューズアッパー１’の踵側端部の高さと同じである。
【００４７】
次いで、編出し部１Ｓのウエール方向に続いてインステップカバー部３の側面となる編目列を編成すると共に、編成した編目列を紙面左側に目移しして、インステップカバー部３のラインｄ−ｉを、インサート部４のラインのｄ−ｃに接合していく。インステップカバー部３の領域ｄ−ｅ−ｊ−ｉが完成した時点で、針床にはａ−ｂ−ｃ（ｉ）−ｊ−ｆ−ｅの編目が係止された状態になっている。そこで、インステップカバー部３のラインｆ−ｅのウエール方向に続いてヒール部２０’の編成を開始する。そうすることで、インステップカバー部３のラインｆ−ｅと、ヒール部２０’のラインｇ−ｈと、が接合される。そして、ヒール部２０’の編目列を増やしていきつつ、ヒール部２０’のラインｇ−ｊをインステップカバー部３のラインｆ−ｊに接続する。なお、インステップカバー部３の領域ｄ−ｅ−ｊ−ｉの編成と、ヒール部２０’の領域ｇ−ｈ−ｋ−ｊの編成と、を並行して行なっても良い。
【００４８】
ここで、図４（Ａ）に示す編成では、編幅を徐々に広くする引き返し編成によりヒール部２０’を編成している。引き返し編成は、ヒール部２０’の右側部分（ｇ−ｈ−ｋ−ｊ）と、左側部分（奥側に隠れている部分）と、に連続して行なわれる。このような編成により、図４（Ｂ）に示すように、徐々に編幅が拡がることでソールカバー部２’の踵側に湾曲形状が形成されたヒール部２０’が形成される。もちろん、ヒール部２０’の右側部分（ｇ−ｈ−ｋ−ｊ）と、左側部分（奥側に隠れている部分）とは、別々に編成しても良く、その場合、上記右側部分と左側部分とはラインｈ−ｋで接続される。
【００４９】
なお、図４（Ｃ）に示すように、編幅を徐々に狭くすることでヒール部２０’を編成しても良い。その場合、例えば、図４（Ａ）において、インステップカバー部３のうちのｄ−ｅ−ｊ−ｉで囲まれる部分を編成した後、ラインｊ−ｆ−ｅのウエール方向に続いてヒール部２０’の編成を開始すれば良い。
【００５０】
［領域γ〜εの編成］
踵領域βの編成が終了したら、インステップカバー部３のラインｉ−ｊ、およびヒール部２０’のラインｊ−ｋのウエール方向に連続して、インステップカバー部３とソール本体部２１を編成し、本体後部領域γを完成させる。そして、本体後部領域δと爪先領域εを編成し、ラインｏ−ｐを編終わり部１Ｅで閉じ合わせる。領域γ，δ，εの編成手順は実施形態１と全く同じである。
【００５１】
＜実施形態３＞
実施形態３では、実施形態１，２とは異なる編成方法を図５に基づいて説明する。実施形態３の編成方法は、ヒール部２５の編成方法のみが実施形態１と異なる。従って、その相違点についてのみ説明する。
【００５２】
実施形態３のシューズアッパー（図示せず）の編出し部１Ｓは、図５（Ｃ）に示すように、ソールカバー部２におけるヒール部２５とソール本体部２１との境界に至っている。この点は、実施形態１の構成と同じである。
【００５３】
ヒール部２５は、図５（Ｃ）に示すように、編出し部１Ｓを挟んで周状に並ぶ複数の扇状ピース２５１〜２５８と、隣接する扇状ピース２５１〜２５８の間に配置される介在ピース２９１〜２９６と、によって形成されている。このようなヒール部２５を編成するには、編幅方向に編目の密度が高い部分と低い部分とを形成する特殊な編成が必要になる。
【００５４】
図５（Ａ）は、ヒール部２５の編成工程イメージ図である。図５（Ａ）のｅ−ｆ−ｇ、ｇ−ｈ−ｉ、ｉ−ｊ−ｋ、ｋ−ｍ−ｍ’で囲まれた部分は、扇状ピース２５１〜２５４となる部分であり、編目の密度が高い部分である。一方、ｆ−ｇ−ｈ、ｈ−ｉ−ｊ、ｊ−ｋ−ｍで囲まれた部分は、介在ピース２９１〜２９３となる部分であり、編目の密度が低い部分である。
【００５５】
上記特殊な編成について、図５（Ｂ）に基づいて説明する。まず、図５（Ａ）のｅ−ｆ−ｇの部分では、図５（Ｂ）に示すように編目の間隔を詰めて編成すると共に、編目列の段数を増すごとに編幅方向の編目数を減らしていく。そうすることで、扇状ピース２５１を形成することができる。これに対して、図５（Ａ）のｆ−ｇ−ｈの部分では、２〜５針置きの編針にのみ編目を形成し、しかも編目列の段が変わるごとに編幅方向の編目の位置を変えている。このように編目の密度が低い部分では、段が異なる編目列の編目がほぼ一直線上に揃い、図５（Ｃ）に示すような細長い略三角形状で、かつ扇状ピース２５１とは逆方向に先細りの先端部が向いた介在ピース２９１となる。図５（Ａ）の他の部分についても同様に行なえば良く、その結果、図５（Ｃ）に示すようなヒール部２５が形成される。
【００５６】
＜実施形態４＞
実施形態１〜３では、インサート部から編成を開始し、踵領域βから爪先領域εに向かってシューズアッパーを編成した。これに対して、爪先領域εから踵領域βに向かってシューズアッパーを編成した後、インサート部を編成しても良い。例えば、図１を参照する実施形態１のシューズアッパー１の場合、図２（Ａ）の編成手順をおおよそ上下逆にしたような編成手順でシューズアッパー１を編成すれば良い。具体的には、以下の通りである。
【００５７】
まず、針床上に編出し部（図２におけるｑ−ｒ参照）を形成し、その編出し部に続いて爪先領域εを編成する。次いで、爪先領域εのウエール方向終端部のうち、切り込み端５１となる部分を伏せ目処理して、それ以外の部分に続く本体前部領域δを編成する。そして、本体前部領域δのｎ−ｏに続く本体後部領域γの編目列を編成することと、編成した編目列を紙面右側に寄せることを繰り返す。ここで、本体後部領域γの編成において、紙面右側に寄せた編目列に続いて新たな編目列を編成する際、編目列の編幅方向端部に掛け目を形成する。そうすることで、針床上に本体後部領域γのｎ−ｌのラインに相当する掛け目が並んだ状態となり、そのｎ−ｌのラインに続いて編目列を形成することができる。また、本体後部領域γの編成において編幅を適宜増減させることで、ｎ−ｌのラインを湾曲させることができる。この湾曲ラインは、実施形態１と同様に、インステップカバー部３が着用者の踝に干渉しないようにするために形成するものである。
【００５８】
さらに、本体後部領域γのウエール方向端部の編目（ｌ−ｍの編目）に続く踵領域βを編成する。踵領域βについても、踵領域βの編目列を編成することと、編成した編目列を紙面右側に寄せることと、を繰り返す。その際、扇状ピース２０４，２０３，２０２，２０１を順次形成し、インステップカバー部３とソールカバー部２を完成させる。
【００５９】
インステップカバー部３とソールカバー部２の編成が終了したら、一方の針床にはｐ−ｎ−ｌ−ｄ−ｅ−ｆの編目が係止された状態になるので、ｄ−ｅ−ｆの編目を紙面裏側にあるシューズアッパー１の左側部分と接合して編終わり部を形成する。そして、インステップカバー部３のｐ−ｎ−ｌ−ｄの編目のウエール方向に続いてインサート部４を編成し、シューズアッパー１を完成させる。この実施形態１のシューズアッパー１における編目の向きは、ちょうど実施形態１のシューズアッパー１と反対に向いている。
【００６０】
＜実施形態５＞
実施形態１〜４では、踵側端部に編出し部１Ｓ（実施形態４では編終わり部）が、爪先側端部に編終わり部１Ｅ（実施形態４では編出し部）が形成されている。しかし、ヒール部２０，２０’,２５を形成するために踵側端部に編出し部１Ｓ（編終わり部）が形成されている必要はあるが、編終わり部（編出し部）は爪先側端部に形成されている必要はない。爪先側端部に編終わり部（編出し部）が形成されない編成手順の一例を図６に示す。
【００６１】
図６の編成手順では、まずシューズアッパー１の踵側端部となる編出し部１Ｓを編成し、編出し部１Ｓに続いてヒール部２０とインステップカバー部３の踵側部分を編成する。次いで、Ｃ字状編成でソール本体部２１、インステップカバー部３の爪先側部分、およびインサート部４を順次編成する。そして、伏目処理によって、インステップカバー部３の鳩目形成部とインサート部４の上端部に編終わり部１Ｅを形成し、シューズアッパー１を完成させる。もちろん、上述した編成順序と逆の手順でシューズアッパー１を完成させることもできる。
【００６２】
＜実施形態６＞
実施形態１〜５では、靴紐を有するシューレースタイプのシューズアッパーを説明したが、靴紐のないステップインタイプのシューズアッパーとすることもできる。その場合、インサート部４を筒状に形成し、インステップカバー部３を編成する際、インサート部４から爪先に延びるスリット５０を形成しなければ良い。
【００６３】
その他、シューズアッパー１の編成の際、インサート部４を編成しなくても良い。その場合、インサート部４のないシューズアッパー１の完成後に、履き口４０の縁部に樹脂などからなる補強材を取り付けたり、シューズアッパー１とは別に編成したインサート部４を接合することが好ましい。
【００６４】
＜実施形態７＞
実施形態１〜６と同様の編成を利用することで、図７に例示するようなソックス１０を編成することもできる。このようなソックス１０を編成する場合、例えば、図２（Ａ）においてインサート部４を筒状編成すれば良い。その際、インサート部４のウエール方向の長さを調整することで、クルーソックス、ハイソックス、ニーソックスなどを作製することができる。なお、ソックス１０の爪先側は、図７に例示するような閉じ合わせ方に限定されるわけではない。例えば、ソックス１０の爪先側に複数の指袋を形成し、各指袋の先端を閉じ合わせることで、五本指ソックスなどを編成することができる。
【符号の説明】
【００６５】
１，１’  フットウェア（シューズアッパー）  １Ｓ  編出し部  １Ｅ  編終わり部
２，２’  ソールカバー部
２０，２０’，２５  ヒール部
２０１〜２０８  扇状ピース
２５１〜２５８  扇状ピース  ２９１〜２９６  介在ピース
２１  ソール本体部
３  インステップカバー部
４  インサート部    ４０  履き口
５０  スリット  ５１  切り込み端
６０  鳩目孔
１０  ソックス（フットウェア）
【図１】
2014050289.tif 000003
【図２】
2014050289.tif 000004
【図３】
2014050289.tif 000005
【図４】
2014050289.tif 000006
【図５】
2014050289.tif 000007
【図６】
2014050289.tif 000008
【図７】
2014050289.tif 000009
【国際調査報告】
2014050289.tif 000010
2014050289.tif 000011